(57)【要約】【課題】２つ以上の分配開口部を有し、カートン内に収容される製品又は物品に対して２種類の異なるアクセス様式が可能である、ディスペンサー付きカートンを提供する。【解決手段】好ましくは、分配開口部は、分配開口部のそれぞれからの分配を目的とした製品の最適な配向が可能となるように配向される。第１の態様とは別個で独立しているが、必要に応じて第１の態様を補完する本発明の別の態様に準じて、自動カートン装填装置に対応する配向様式で中に物品を装填するのを可能にし、かつ更に、必要に応じて、開口部の少なくとも１つを介して所望の分配配向で分配するのを可能にする分配開口部が提供される。【選択図】図１
2013112424.tif 000002
【特許請求の範囲】
【請求項１】
複数の物品をカートン内に収容し、かつ前記カートンの内部から分配するためのカートンであって、前記カートンが、
第１の主壁部と、
前記第１の主壁部と対向する第２の主壁部と、
前記第１の主壁部と前記第２の主壁部との間に延在する第１の側壁部と、
前記第１の側壁部と対向し、かつ前記第１の主壁部と前記第２の主壁部との間に延在する第２の側壁部と、
前記第１の主壁部と前記第２の主壁部との間、及び前記第１の側壁部と前記第２の側壁部との間に延在する第１の端壁部と、
前記第１の端壁部と対向し、かつ前記第１の主壁部と前記第２の主壁部との間、及び前記第１の側壁部と前記第２の側壁部との間に延在する第２の端壁部と、
前記第１の主壁部内に形成される第１のディスペンサーと、
前記第２の主壁部内に形成される第２のディスペンサーと、
を含み、
前記第１のディスペンサーが、ディスペンサードアのヒンジを中心に、開いた形状と閉じた形状との間で旋回するように構成されるディスペンサードアであり、
前記第２のディスペンサーが、リッドディスペンサーのヒンジを中心に、開いた形状と閉じた形状との間で旋回するように構成されるリッドディスペンサーであり、
前記ディスペンサードアのヒンジが前記リッドディスペンサーのヒンジとほぼ垂直である、
カートン。
【請求項２】
前記第１の端壁部及び前記第２の端壁部の少なくとも一方が、前記端壁部を通り、前記カートンの中に物品を装填するのが可能となるように開いた形状を維持することができ、前記カートンの中への物品の装填が完了した後に閉じることができる、請求項１に記載のカートン。
【請求項３】
前記第１の端壁部及び前記第２の端壁部の前記少なくとも一方が、重なりフラップから形成され、前記重なりフラップが、前記物品がそこを通って前記カートンの中に装填された後に一緒に連結される、請求項２に記載のカートン。
【請求項４】
前記ディスペンサーの蓋が、第１の主壁部の一部から形成される上部壁部と、前記第１の端壁部及び前記第２の端壁部の一方に沿った前壁部と、を有し、
前記第１の主壁部の前記一部が、前記第１の端壁部及び前記第２の端壁部の他方とほぼ平行に延びかつこれと離間するヒンジ線に沿って、前記第１の主壁部の残部と連結される、請求項１に記載のカートン。
【請求項５】
前記ディスペンサーの蓋が、前記カートンの前記第１の側壁部の一部から形成された第１の側壁部と、前記カートンの前記第２の側壁部の一部から形成された第２の側壁部とを有する、請求項４に記載のカートン。
【請求項６】
前記ディスペンサーの蓋を開けると、前記ディスペンサーの蓋の前記第１の側壁部が、前記カートンの部分的第１の側壁部を残して前記カートンの前記第１の側壁部から分離され、前記ディスペンサーの蓋の前記第２の側壁部が、前記カートンの部分的第２の側壁部を残して前記カートンの前記第２の側壁部から分離され、前記カートンが、
前記ディスペンサーの蓋を開いて、前記ディスペンサーの蓋の前記第１の側壁部を前記カートンの前記第１の側壁部から離れて移動させると、前記第１の付加的側壁部が前記カートンの前記部分的第１の側壁部を完成させるように、前記カートンの前記第１の側壁部に沿って配置される第１の付加的側壁部パネルと、
前記ディスペンサーの蓋を開いて、前記ディスペンサーの蓋の前記第２の側壁部を前記カートンの前記第２の側壁部から離れて移動させると、前記第２の付加的側壁部が前記カートンの前記部分的第２の側壁部を完成させるように、前記カートンの前記第２の側壁部に沿って配置される第２の付加的側壁部パネルと、
を更に含む、請求項５に記載のカートン。
【請求項７】
前記ディスペンサードアが、前記第１の主壁部のディスペンサーパネル部分を前記第１の主壁部から脆弱線に沿って分離することによって形成された前壁部と、前記ディスペンサードアの前壁部の側縁部から延びる少なくとも１つの側壁部と、を有する、請求項５に記載のカートン。
【請求項８】
前記第１の主壁部が、左縁部と、前記左縁部とほぼ平行でかつ前記左縁部から離間する右縁部と、前記左縁部と前記右縁部との間に延びかつこれらとほぼ垂直な底縁部と、前記底縁部とほぼ平行に延びかつ前記底縁部から離間し、前記左縁部と前記右縁部との間にこれらとほぼ垂直に延びる頂縁部と、を有し、
前記第１の側壁部が前記第１の主壁部の前記左縁部から垂直に延び、かつ、前記第１の主壁部の前記左縁部に沿った第１の縁部と、前記第１の縁部と平行でかつ前記第１の縁部から離間した第２の縁部と、を有し、
前記第２の側壁部が前記第１の壁部の前記右側縁部から垂直に延び、かつ、前記右側縁部に沿った第１の縁部と、前記第１の縁部と平行でかつ前記第１の縁部から離間した第２の縁部と、を有し、
前記第２の主壁部が、前記第１の主壁部とほぼ平行でかつ前記第１の主壁部から離間し、前記第１の側壁部の前記第２の縁部と前記第２の側壁部の前記第２の縁部との間に延び、前記第２の主壁部が、前記第２の側壁部の前記第２の縁部に沿って延びる左縁部と、前記第１の側壁部の前記第２の縁部に沿って延びる右縁部と、前記第２の主壁部の前記左縁部と前記右縁部との間にこれらとほぼ垂直に延び、前記第１の主壁部の前記底縁部とほぼ平行でかつ前記底縁部から離間する底縁部と、前記第２の主壁部の前記底縁部及び前記第１の主壁部の前記頂縁部とほぼ平行に延びかつこれらから離間し、前記第２の主壁部の前記左縁部と前記右縁部との間にこれらとほぼ垂直に延びる頂縁部と、を有し、
前記第１の端壁部が、前記第１の主壁部の前記頂縁部から垂直に、かつ前記第１の側壁部と前記第２の側壁部との間にこれらとほぼ垂直に延び、
前記第２の端壁部が、前記第１の主壁部の前記底縁部から垂直に、かつ前記第１の側壁部と前記第２の側壁部との間にこれらとほぼ垂直に延び、
前記ディスペンサードアが、前記第１の主壁部内に画定された前側パネルと、底縁部と、前記第１の側壁部とほぼ平行な左側サイドパネルと、前記第２の側壁部とほぼ平行な右側サイドパネルと、を有し、
前記ディスペンサードアパネルを前記第１の主パネルから遠くに旋回させ、かつ前記ディスペンサードア左側サイドパネル及び前記ディスペンサードア右側サイドパネルを、それぞれ前記第１の側壁部及び前記第２の側壁部に沿って摺動させて前記カートン内の前記物品にアクセスするために、前記ディスペンサードア前側パネルを前記ディスペンサードア前側パネル底縁部を中心に旋回させることによって、前記ディスペンサードアが開き、
前記リッドディスペンサーが、前記第２の主壁部内に画定された上部パネルと、左縁部と、前記左縁部とほぼ平行でかつ前記左縁部から離間する右縁部と、前記左縁部と前記右縁部との間にこれらとほぼ垂直に延びる前側縁部と、前記前側縁部とほぼ平行に延び、かつ前記左縁部と前記右縁部との間にこれらとほぼ垂直に延びる後側縁部と、を有し、
前記上部パネルを前記第２の主壁部から離れて持ち上げて前記カートンの内部にアクセスするために、前記上部パネルを前記リッドディスペンサーの前記後側縁部に沿って旋回させることによって、前記リッドディスペンサーが開く、請求項１に記載のカートン。
【請求項９】
前記ディスペンサードア底縁部が、前記第１の主壁部の前記底縁部に沿って実質的に同一直線上に延び、
前記リッドディスペンサーの前記後側縁部が、前記第２の主壁部の前記右縁部とほぼ平行でかつ前記右縁部から離間する、請求項８に記載のカートン。
【請求項１０】
前記リッドディスペンサーが、
前記上部パネル前側縁部から、前記上部パネルとほぼ垂直でかつ前記第２の端壁部とほぼ平行に延びる前側パネルと、
前記前側パネルからほぼ垂直に、かつ前記第１の側壁部とほぼ平行でかつこれに沿って延びる左側サイドパネルと、
前記前側パネルからほぼ垂直に、かつ前記第２の側壁部とほぼ平行でかつこれに沿って延びる右側サイドパネルと、を更に含む、請求項８に記載のカートン。
【請求項１１】
長手方向軸を有する複数の細長い物品を収容するカートンであって、前記カートンは、
第１の主壁部と、
前記第１の主壁部と対向する第２の主壁部と、
前記第１の主壁部と前記第２の主壁部との間に延在する第１の側壁部と、
前記第１の側壁部と対向し、かつ前記第１の主壁部と前記第２の主壁部との間に延在する第２の側壁部と、
前記第１の主壁部と前記第２の主壁部との間、及び前記第１の側壁部と前記第２の側壁部との間に延在する第１の端壁部と、
前記第１の端壁部と対向し、かつ前記第１の主壁部と前記第２の主壁部との間、及び前記第１の側壁部と前記第２の側壁部との間に延在する第２の端壁部と、
前記第１の主壁部、前記第２の主壁部、前記第１の側壁部、前記第２の側壁部、前記第１の端壁部、及び前記第２の端壁部のうちの１つの中に形成される第１のディスペンサーと、
前記第１の主壁部、前記第２の主壁部、前記第１の側壁部、前記第２の側壁部、前記第１の端壁部、及び前記第２の端壁部のうちの別の１つの中に形成される第２のディスペンサーと、
を含み、
前記物品が全て、前記カートン内において、前記第１のディスペンサーに対してそれらの長手方向軸を水平配向にした状態で、及び前記第２のディスペンサーに対して前記それらの長手方向軸を縦配向にした状態で配向されるように配向される、カートン。
【請求項１２】
前記第１のディスペンサーが、前記第１の主壁部と実質的に同一面内の前壁部を有し、かつディスペンサードアのヒンジを中心に旋回するように構成されたディスペンサードアであり、
前記物品が、前記物品の前記長手方向軸が前記ディスペンサードアのヒンジとほぼ平行に延びた状態で前記第１のディスペンサーから分配されるように配向される、請求項１１に記載のカートン。
【請求項１３】
少なくとも２つの物品が、前記ディスペンサードアのヒンジと実質的に同一直線上でかつこれとほぼ平行に配置される、請求項１２に記載のカートン。
【請求項１４】
前記第２のディスペンサーが、前記第２の主壁部と実質的に同一面内の上部パネルを有し、かつリッドディスペンサーのヒンジを中心に旋回するように構成されるリッドディスペンサーであり、
前記物品が、前記物品の前記長手方向軸が前記ディスペンサードアのヒンジとほぼ垂直に延びた状態で前記第２のディスペンサーから分配されるように配向される、請求項１２に記載のカートン。
【請求項１５】
前記ディスペンサードアのヒンジが、前記第１の主壁部及び前記第２の側壁部とほぼ平行であり、
前記リッドディスペンサーのヒンジが、前記第２の主壁部及び前記第１の端壁部とほぼ平行である、請求項１４に記載のカートン。
【請求項１６】
前記第２のディスペンサーが、前記第２の主壁部と実質的に同一面内の上部パネルを有し、かつリッドディスペンサーのヒンジを中心に旋回するように構成されるリッドディスペンサーであり、
前記物品が、前記物品の前記長手方向軸が前記第２のディスペンサードアのヒンジとほぼ垂直に延びた状態で前記第２のディスペンサーから分配されるように配向される、請求項１１に記載のカートン。
【請求項１７】
前記リッドディスペンサー上部パネルが、前側縁部と、前記前側縁部から前記リッドディスペンサーのヒンジに向かう方向の高さと、を有し、
前記物品が、それぞれ、その前記長手方向軸に沿った前記物品の第１の端部から第２の端部までの高さを有し、
前記第２の主壁部が、前記リッドディスペンサーの高さとほぼ平行な方向の高さを有し、前記第２の主壁部の高さが前記物品の高さの少なくとも２倍であり、
前記リッドディスペンサー上部パネルの高さが、前記物品の高さよりも長く、かつ前記第２の主壁部の前記高さよりも短く、
少なくとも２つの物品が、実質的に同一直線上でかつ前記リッドディスペンサーのヒンジとほぼ垂直に配置される、請求項１６に記載のカートン。
【請求項１８】
前記物品が、前記長手方向軸が前記第１の端壁部及び前記第２の端壁部とほぼ垂直な状態で、前記第１の端壁部及び前記第２の端壁部の一方を介して装填される、請求項１１に記載のカートン。
【請求項１９】
前記第１の主壁部が、左縁部と、前記左縁部とほぼ平行でかつ前記左縁部から離間する右縁部と、前記左縁部と前記右縁部との間にこれらとほぼ垂直に延びる底縁部と、前記底縁部とほぼ平行に延びかつ前記底縁部から離間し、前記左縁部と前記右縁部との間にこれらとほぼ垂直に延びる頂縁部と、を有し、
前記第１の側壁部が前記第１の主壁部の前記左縁部から垂直に延び、かつ、前記第１の主壁部の前記左縁部に沿った第１の縁部と、前記第１の縁部と平行でかつ前記第１の縁部から離間した第２の縁部と、を有し、
前記第２の側壁部が前記第１の壁部の前記右側縁部から垂直に延び、かつ、前記右側縁部に沿った第１の縁部と、前記第１の縁部と平行でかつ前記第１の縁部から離間した第２の縁部と、を有し、
前記第２の主壁部が、前記第１の主壁部とほぼ平行でかつ前記第１の主壁部から離間し、前記第１の側壁部の前記第２の縁部と前記第２の側壁部の前記第２の縁部との間に延び、前記第２の主壁部が、前記第２の側壁部の前記第２の縁部に沿って延びる左縁部と、前記第１の側壁部の前記第２の縁部に沿って延びる右縁部と、前記第２の主壁部の前記左縁部と前記右縁部との間にこれらとほぼ垂直に延び、前記第１の主壁部の前記底縁部とほぼ平行でかつ前記底縁部から離間する底縁部と、前記第２の主壁部の前記底縁部及び前記第１の主壁部の前記頂縁部とほぼ平行に延びかつこれらから離間し、前記第２の主壁部の前記左縁部と前記右縁部との間にこれらとほぼ垂直に延びる頂縁部と、を有し、
前記第１の端壁部が、前記第１の主壁部の前記頂縁部から垂直に、かつ前記第１の側壁部と前記第２の側壁部との間にこれらとほぼ垂直に延び、
前記第２の端壁部が、前記第１の主壁部の前記底縁部から垂直に、かつ前記第１の側壁部と前記第２の側壁部との間にこれらとほぼ垂直に延び、
前記第１のディスペンサーが、前記第１の主壁部内に画定された前側パネルと、底縁部と、前記第１の側壁部とほぼ平行な左側サイドパネルと、前記第２の側壁部とほぼ平行な右側サイドパネルとを有するディスペンサードアであり、
前記ディスペンサードアパネルを前記第１の主パネルから遠くに旋回させ、かつ前記ディスペンサードア左側サイドパネル及び前記ディスペンサードア右側サイドパネルを、それぞれ前記第１の側壁部及び前記第２の側壁部に沿って摺動させて前記カートン内の前記物品にアクセスするために、前記前側パネルを前記ディスペンサードア前側パネル底縁部を中心に旋回させることによって、前記第１のディスペンサーが開き、
前記第２のディスペンサーが、前記第２の主壁部内に画定された上部パネルと、左縁部と、前記左縁部とほぼ平行でかつ前記左縁部から離間する右縁部と、前記左縁部と前記右縁部との間にこれらとほぼ垂直に延びる前側縁部と、前記前側縁部とほぼ平行に延び、かつ前記左縁部と前記右縁部との間にこれらとほぼ垂直に延びる後側縁部と、を有するリッドディスペンサーであり、
前記上部パネルを前記第２の主壁部から離れて持ち上げて前記カートンの内部にアクセスするために、前記リッドディスペンサー上部パネルを前記リッドディスペンサーの前記後側縁部に沿って旋回させることによって、前記リッドディスペンサーが開く、請求項１１に記載のカートン。
【請求項２０】
カートンを形成し、かつ、それぞれが長手方向軸に沿って細長い複数の同一物品で前記カートンを充填する方法であって、前記方法が、
第１、第２、第３、第４、第５、及び第６の壁部を有し、かつディスペンサードアが前記第１、第２、第３、第４、第５、及び第６の壁部のうちの１つの中にあり、リッドディスペンサーが前記第１、第２、第３、第４、第５、及び第６の壁部のうちの別の１つの中にあるカートンを組み立てることと、
前記ディスペンサードアから分配されるときに実質的に水平に配向されるように前記物品の長手方向軸に沿って前記物品を押すことによって、前記カートンの内部に前記物品を装填することと、を含み、
ディスペンサードアのヒンジを中心に旋回することによって前記ディスペンサードアが開き、
物品を装填することが、前記物品の長手方向軸を前記ディスペンサードアのヒンジとほぼ平行にした状態で物品を装填することを更に含む、方法。
【請求項２１】
前記リッドディスペンサーを介して分配するために、前記物品の長手方向軸が実質的に垂直に配向された状態で物品が配向されるように前記カートンを組み立てることを更に含み、
ディスペンサーの蓋のヒンジを中心に旋回することによって前記ディスペンサーの蓋が開き、
物品を装填することが、前記物品の長手方向軸を前記ディスペンサーの蓋のヒンジとほぼ垂直にした状態で物品を装填することを更に含む、請求項２０に記載の方法。
【請求項２２】
カートンブランクにおいて、
左縁部と、前記左縁部とほぼ平行で前記左縁部から離間する右縁部と、前記左縁部と前記右縁部との間にこれらとほぼ垂直に延びる頂縁部と、前記頂縁部とほぼ平行であり、かつ前記左縁部と前記右縁部との間にこれらとほぼ垂直に延びる底縁部と、を有する第１のパネルと、
前記第１のパネルの前記右縁部から延び、かつ前記第１のパネルの右縁部に沿った左縁部と、前記左縁部とほぼ平行でかつ前記左縁部から離間する右縁部と、前記左縁部と前記右縁部との間にこれらとほぼ垂直に延びる頂縁部と、前記頂縁部とほぼ平行であり、かつ前記左縁部と前記右縁部との間にこれらとほぼ垂直に延びる底縁部と、を有する第２のパネルと、
前記第２のパネルの前記右縁部から延び、かつ前記第２のパネルの右縁部に沿った左縁部と、前記左縁部とほぼ平行でかつ前記左縁部から離間する右縁部と、前記左縁部と前記右縁部との間にこれらとほぼ垂直に延びる頂縁部と、前記頂縁部とほぼ平行であり、かつ前記左縁部と前記右縁部との間にこれらとほぼ垂直に延びる底縁部と、を有する第３のパネルと、
前記第３のパネルの前記右縁部から延び、かつ前記第３のパネルの右縁部に沿った左縁部と、前記左縁部とほぼ平行でかつ前記左縁部から離間する右縁部と、前記左縁部と前記右縁部との間にこれらとほぼ垂直に延びる頂縁部と、前記頂縁部とほぼ平行であり、かつ前記左縁部と前記右縁部との間にこれらとほぼ垂直に延びる底縁部と、を有する第４のパネルと、
前記第１、第２、第３、及び第４のパネルのうちの１つの頂縁部から延び、前記第１、第２、第３、及び第４のパネルをそれらの前記左及び右縁部に沿って互いに対して折り畳む際に形成される端部が開いたカートンの上端部を閉じる第１の上端部パネルと、
前記第１、第２、第３、及び第４のパネルのうちの１つの底縁部から延び、前記第１、第２、第３、及び第４のパネルをそれらの前記左及び右縁部に沿って互いに対して折り畳む際に形成される端部が開いたカートンの下端部を閉じる第１の下端部パネルと、
前記第１、第２、第３、及び第４のパネルのうちの１つの中に画定されて、切断されるとディスペンサードア前側パネルの頂縁部を画定するディスペンサードアの切り目線と、
前記第１、第２、第３、及び第４のパネルの他の１つの中に画定されて、前記第１、第２、第３、及び第４のパネルの前記他の１つの一部によって画定される引き上げ式蓋の上部パネルの旋回ヒンジを画定する引き上げ式蓋の折り目と、を含む、カートンブランク。
【請求項２３】
前記ディスペンサードアの切り目線が、前記ディスペンサードアの切り目線が中に画定される前記パネルの前記左縁部及び右縁部とほぼ平行である、請求項２２に記載のブランク。
【請求項２４】
前記引き上げ式の折り目が、前記引き上げ式蓋の折り目が中に画定される前記パネルの前記頂縁部及び底縁部とほぼ平行である、請求項２３に記載のブランク。
【請求項２５】
前記ディスペンサードアの切り目線が前記第１のパネルの中に画定され、前記引き上げ式蓋の折り目が前記第３のパネルの中に画定される、請求項２４に記載のブランク。
【請求項２６】
前記第２のパネルの中に画定され、第１の引き上げ式蓋の切り目線が切断されると、引き上げ式蓋の第１の側壁部の底縁部を画定する、前記第１の引き上げ式蓋の切り目線と、
前記第４のパネルの中に画定され、第２の引き上げ式蓋の切り目線が切断されると、引き上げ式蓋の第２の側壁部の底縁部を画定する、前記第２の引き上げ式蓋の切り目線と、を更に含む、請求項２５に記載のブランク。
【請求項２７】
前記第２のパネルの前記頂縁部から延びて、前記第２のパネルから形成される引き上げ式蓋の前側パネルを形成するパネルを更に含む、請求項２６に記載のブランク。
【請求項２８】
前記引き上げ式の折り目が、前記引き上げ式蓋の折り目が中に画定される前記パネルの前記頂縁部及び底縁部とほぼ平行である、請求項２２に記載のブランク。
【請求項２９】
前記ディスペンサードアの切り目線が前記第１のパネルの中に画定され、前記引き上げ式蓋の折り目が前記第３のパネルの中に画定される、請求項２２に記載のブランク。
【請求項３０】
前記第４のパネルの前記右縁部から延び、かつ前記第４のパネルの右縁部に沿った左縁部と、前記左縁部とほぼ平行でかつ前記左縁部から離間する右縁部と、前記左縁部と前記右縁部との間にこれらとほぼ垂直に延びる頂縁部と、前記頂縁部とほぼ平行であり、かつ前記左縁部と前記右縁部との間にこれらとほぼ垂直に延びる底縁部と、を有する第５のパネルを更に含み、
前記ディスペンサードアの切り目線が前記第１のパネルの中に画定され、
前記第５のパネルが、前記第１のパネルの一画と重なって前記ディスペンサードアを形成するように構成される、請求項２２に記載のブランク。
【請求項３１】
前記第５のパネルが、前記第５のパネルの前記頂縁部から延びる第１のディスペンサーパネルの側面部分と、前記第５のパネルの前記底縁部から延びる第２のディスペンサーパネルの側面部分とを更に含み、前記第１のディスペンサーパネルの側面部分及び前記第２のディスペンサーパネルの側面部分は、前記第５のパネル及び前記第１のパネルの一部によって形成されるディスペンサードアの側壁部を形成する、請求項３０に記載のブランク。
【発明の詳細な説明】
【技術分野】
【０００１】
本発明は、複数の個別の物品を保持及び／又は分配するためのカートンに関する。より詳細には、本発明は、２つの独立した再び密閉できる分配開口部を有するカートンに関し、各開口部は、好ましくは、カートン内の製品へのアクセスを提供し、かつ、必要に応じて更に該製品を分配するように構成される。
【背景技術】
【０００２】
中に収容されている個別製品又は物品の分配を容易にするように設計された箱又はカートンは、当該分野において既知である。ディペンサー付きカートン（かかる用語は本明細書では限定を意図せずに便宜上使用される）の例は、米国特許第３，５９３，９０８号（Ｄｅｓｍｏｎｄｓ）、発明の名称「Ｄｉｓｐｅｎｓｅｒ  Ｂｉｎ  Ｃａｒｔｏｎ」に記載されている。記載されるディスペンサー容器（bin）付きカートンは、移動可能な容器の前方部を有し、該前方部は、カートンの前側パネルに対して、閉鎖位置（カートンは閉じている）と容器送達位置（容器の前側パネルは、カートンの内容物へのアクセスを可能にするために前側パネルから離れて旋回している）との間で蝶番状に移動可能である。１つのみの分配開口部（容器前方部）が提供される。
【０００３】
２種類以上の分配開口部を有する分配カートンも既知である。２つの異なる分配開口部を有するディスペンサー付きカートンの一例が、米国特許第６，９５１，３００号（Ｃａｉｌｌｅら）、発明の名称「Ｄｉｓｐｌａｙ  Ｐａｃｋａｇｉｎｇ」に記載されている。記載されている包装は、Ｄｅｓｍｏｎｄｓに付与された上述の特許の容器前方部と同様の引き出し（drawer）型ディスペンサーを有する。更に、Ｃａｉｌｌｅ特許に記載される包装もまた、包装の内容物へのアクセスを可能にするために移動させることができる、取り外し可能な一画を有する。
【０００４】
分配カートンの中の特定の物品又は製品（以下、限定を意図せずに便宜上「物品」）を、所定の設定された配向で装填する又はディスプレイするのが好ましくあり得ることが理解されるであろう。例えば、細長い物品（リップクリーム、筆記用具、ハードキャンデーのロール、又は他の積み重ね可能な個別の食べ物、タンポンなど）は、好ましくは、分配開口部に対して所与の配向で分配される。既知の従来技術の分配カートンは、その中の物品を複数の分配開口部のそれぞれを介して特定の望ましい配向で分配するのを可能にする、２つ以上の分配開口部を提供しない。
【０００５】
更に、自動的にカートンの中に製品を装填するために使用されるカートン装填装置は、自動カートン装填装置によって所与の設定された配向で製品が配向されるのを必要とし得ることが理解されるであろう。そのため、既知の従来技術の分配カートンは、自動カートン装填装置が、１つ以上の分配開口部を介して分配される場合に製品にとって望ましい配向に対応しない又は一致しない配向で製品を装填しなければならない場合に、更なる複雑さをもたらす。
【発明の概要】
【発明が解決しようとする課題】
【０００６】
したがって、物品を所望の配向で装填するのに及び／又は分配開口部を介して物品を所望の配向で分配するのに望ましい製品の配向を可能にするようにカートンに沿って配置された２つ以上の分配開口部を有するディスペンサー付きカートンを提供するのが望ましい。
【課題を解決するための手段】
【０００７】
本発明の原理によると、２つ以上の異なる種類の再び密閉できる分配開口部を備えたディスペンサー付きカートンが提供される（以下、「再び密閉できる」への言及は繰り返されないが、本発明の分配開口部は再び密閉できるように意図されていることが理解される）。本発明の一態様によると、分配開口部は、分配開口部のそれぞれからの分配を目的とした製品の最適な配向が可能となるように配向される。代表的な実施形態において、ディスペンサー付きカートンは、１つの壁部に沿って容器又はドア型ディスペンサーを有し、別の壁部に沿って引き上げ蓋式ディスペンサーを有する。ディスペンサードアは、ドア内に分配された製品へのアクセスを可能にするために、カートンに対して旋回して移動し、引き上げ式蓋は、カートンの少なくとも上方に面する壁部を開くために、カートンに対して旋回して移動する。ディスペンサー付きカートン内の物品は細長く、全て同じ方向に配向される。ディスペンサーは、物品が最適な分配配向でディスペンサーを介して分配されるように、ディスペンサー付きカートンに沿って配置される。
【０００８】
第１の態様とは別個で独立しているが、必要に応じて第１の態様を補完する、本発明の別の態様によると、ディスペンサー付きカートンは、少なくとも２つの分配開口部を有して形成され、これら分配開口部は、自動カートン装填装置に対応する配向様式で中に物品を装填するのを可能にし、かつ更に、必要に応じて、開口部の少なくとも１つを介して所望の分配配向で分配するのを可能にする。代表的な実施形態において、このような実施形態のディスペンサー付きカートンの分配開口部は、細長い製品が製品の長手方向軸に沿ってディスペンサー付きカートンの中に装填されるのが可能となるように配向される。更に、分配開口部の少なくとも１つは、細長い製品が開口部からの最適な分配が得られるように所定の望ましい配向で配向されるように配向される。
【０００９】
本発明のこれら及び他の特徴及び利点は、以下の発明を実施するための形態から容易に明白となり、本発明の範囲は、添付の特許請求の範囲に記載される。
【図面の簡単な説明】
【００１０】
発明を実施するための形態は、類似の参照文字が類似の要素を表す以下の添付図面と併せることにより、より良く理解されるであろう。
【図１】複数の分配開口部の１つ目が開放位置で示されている、本発明の原理に従って形成される代表的なディスペンサー付きカートンの斜視図。
【図２】複数の分配開口部の２つ目が開放位置で示されている、図１の代表的なディスペンサー付きカートンの斜視図。
【図３】カートンブランクから本発明の原理に従ってディスペンサー付きカートンが形成され得る、このカートンブランクの第１の実施形態の平面図。
【図４】カートンブランク及び追加ブランク構成要素から本発明の原理に従ってディスペンサー付きカートンが形成され得る、このカートンブランク及び追加ブランク構成要素の第２の実施形態の平面図。
【図５】カートンが製品で充填されるときにパッと開かれる、圧潰構造に折り畳まれた図３及び図４のカートンブランクの一方の平面図。
【図６】充填のためにパッと開かれ、かつ閉じた形状に折り畳まれる、図５の折り畳まれたブランクの斜視図。
【図７】概略的に示されている物品装填装置によって物品が装填されている、図６の部分的に組み立てられたカートンの斜視図。
【発明を実施するための形態】
【００１１】
本発明の原理に従って形成される代表的なディスペンサー付きカートン１００が図１及び図２に示されている。本発明の原理によると、代表的なカートン１００は２つ以上の分配開口部を有して形成され、これら開口部を通ってカートン内の物品が分配され得る。特に、図１と図２を比較すると理解され得るように、均一な配向でカートン１００内に収容されている細長い物品１０１が、ディスペンサー１２０、１３０によってそれぞれ形成された分配開口部１２１、１３１を介して最適なアクセス及び分配が得られるように配置されるように、ディスペンサー１２０及び１３０は、ディスペンサー付きカートン１００に沿って配置される。本発明の原理に従って形成されるディスペンサー付きカートンは、任意の数の壁部を有し得るが、図１及び図２に示される代表的な実施形態は、主壁部１０２、１０４と（該壁部に沿って分配開口部の少なくとも１つが形成され、典型的には、その一方は、必須ではないが、もしそうでないなら、カートンの最も大きな壁部である）、側壁部１０６、１０８と（主壁部１０２と１０４との間に延在する）、端壁部１１０、１１２と（主壁部１０２と１０４との間及び側壁部１０６と１０８との間に延在し、かつ任意に、その一方を通って物品がカートン１００の中に装填される）を有する６面のカートンである。
【００１２】
図１に示されるように、代表的な分配カートン１００は、好ましくは主壁部１０２、１０４の一方に沿って（図１の代表的な実施形態では主壁部１０２に沿って）形成される、ディスペンサードア１２０の形態の第１のディスペンサー（ディスペンサー容器又は引き出しなどの他の用語でも知られ、用語「ディスペンサードア」は限定を意図せずに便宜上使用される）を有する。ディスペンサードア１２０は、旋回軸又はヒンジ１２３を中心に閉鎖位置（ディスペンサードアの前壁部１２２が、それに沿って前壁部１２２が提供されているカートンの壁部、即ち、図１の代表的な実施形態では主壁部１０２と実質的に同一面内にあり、物品１０１にアクセスできない位置）と開放位置（図１に示されるように、分配開口部１２１を介してカートン１００内の物品１０１にアクセスするのを可能にするために、ディスペンサードア１２０がカートン１００から離れて旋回されている位置）との間で旋回可能である。ディスペンサードア１２０は、引き出し又は容器（限定を意図せずに便宜上、以下「容器」）を形成する前壁部１２２と、左側の側壁部１２４と、右側の側壁部１２６と、を有し、物品１０１は、前壁部１２２をカートン１００の主壁部１０２から離れて移動させる際に形成される開口部１２１を介して分配されるように、容器の中に保持される。好ましくは、カートン１００を製造することができる代表的なブランクを参照することによってより明らかになるように、ディスペンサードア１２０によって形成される容器内に物品１０１が十分に保持されるように前壁部１２２の可動域がいくぶん制限されるように、側壁部１２４及び１２６は、カートン１００に対する過剰な移動を阻止するために形成され得る。
【００１３】
図１及び図２の代表的なディスペンサー付きカートン１００は、リッドディスペンサー（lid dispenser）１３０の形態の第２のディスペンサーを有する。図１及び図２の代表的な実施形態において、リッドディスペンサー１３０は、ディスペンサードア１２０が形成される主壁部１０２、１０４の反対側の、主壁部１０２、１０４の一方に沿って（図２の代表的な実施形態では、主壁部１０４に沿って）形成される。リッドディスペンサー１３０は、図２の代表的な実施形態では、好ましくは主壁部に結合したままで、主壁部に沿って形成されるヒンジ式蓋又は引き上げ式蓋として示されており、これら蓋は該壁部に、リッドディスペンサー１３０の上部壁部１３２が提供されるカートンの壁部（この場合には、主壁部１０４）に沿って上部壁部１３２がカートンの壁部と実質的に同一面内である閉鎖位置と、開口部１３１にアクセスすることによってカートン１００内の物品１０１にアクセス可能となるようにリッドディスペンサー１３０がカートン１００から離れて旋回されている開放位置（図２に示されている）との間で、ヒンジ１３３を中心に旋回可能となるように形成される。しかしながら、リッドディスペンサー１３０は、代わりに、カートン１００から完全に分離可能であり、かつ、開口部１３１（これはリッドディスペンサー１３０をカートン１００から離れて移動させる際に形成される）を閉じて所望通りに物品１０１をカートン１００内に封入するために、カートン１００に戻すことが可能であってもよいことが理解されるであろう。リッドディスペンサー１３０は、上部壁部１３２と、左側の側壁部１３４、右側の側壁部１３６と、前壁部１３８と、を有し、これらは、閉じた形状では、それぞれ、主壁部１０４、側壁部１０６、側壁部１０８、及び端壁部１１２と（例えばこれらと整列するなどによって）実質的に一致する。
【００１４】
必要に応じて、リッドディスペンサー１３０は、リッドディスペンサー１３０を閉じた形状に固定するための係止又は固定機構を備えて形成されてもよい。例えば、リッドディスペンサー１３０は、その側壁部１３４、１３６、１３８のうちの１つ（カートン１００を形成することができる代表的なブランクの以下の記述を参照することで理解されるように、好ましくは前壁部１３８）の裏面に受け溝又は凹所を有するクリックロック式の蓋であってもよく、このクリックロック式の蓋は、対応するカートンの壁部１０６、１０８、１１２（好ましくは、リッドディスペンサー１３０の前壁部１３８に対応する端壁部１１２）上のタブ又はその他の突起部１４０と係合するように構成される。逆の構成（突起部１４０がリッドディスペンサー１３０の側壁部上に形成され、受け凹所がカートン１００の対応する側壁部に形成される構成）も本発明の範囲内であることが理解されるであろう。リッドディスペンサー１３０を閉じると、突起部１４０は対応する凹所内に係合し、リッドディスペンサー１３０とカートン１００の側壁部とを連結し、リッドディスペンサー１３０を閉じた形状に維持する。
【００１５】
細長い物品が、最適なアクセス及びカートン１００からの分配が得られるように、特定の方向に配向されるのが一般に望ましい。したがって、本発明の原理によると、代表的なカートン１００の少なくとも２つの分配開口部１２１、１３１は、例示的物品１０１（図１〜図７の代表的な実施形態では細長い）が最適なアクセス及び該開口部からの分配が得られるように配向されるように構成及び配向されるのが好ましい。細長い物品１０１の最適な配向は、一般に、物品１０１が分配されることによる分配開口部に依存する。
【００１６】
細長い物品１０１は、物品１０１の長手方向軸Ｌがディスペンサードア１２０の前壁部１２２とほぼ平行な横向き配向の容器型分配開口部（例えば代表的なディスペンサードア１２０によって形成されるものなど）を介して分配されるのが好ましい。こうした構成は、物品１０１を、カートン１００内の貯蔵所からディスペンサードア１２０によって形成された容器の中へと下向きに、物品１０１の他の配向によって達成されるよりも整然と供給するのを可能にする。物品１０１が略円形の断面を有する場合、物品１０１は、ディスペンサードア１２０によって形成された容器の中に、それらの最初の配向で下向きに転がり得る。ディスペンサードア１２０は、物品１０１の１つ以上の列（図１の代表的な実施形態では、２列）を保持するように寸法設定され得ることが理解されるであろう。
【００１７】
分配カートン１００の上部に配置された蓋を介して分配するための細長い物品の最適な配向は、好ましくは縦配向である、即ち、物品１０１の長手方向軸Ｌは、分配開口部１３１の後方に面する末端部１３５から、分配開口部１３１の前方に面する端部１３７まで延びる。一般に、物品１０１などの細長い物品は、その側面からよりもその自由端から取り出す方がより容易であると考えられている（特に側面が丸い場合には、その側壁部に接触することによって物品を取り出そうとすると、物品が転がる又は回転していまい、物品を首尾よく持ち上げることができない場合がある）。ユーザーが、指を後方から前方（即ち、後方に面する端部１３５から前方に面する端部１３７に向けて）に動かすことによって、分配開口部（例えば分配開口部１３１のような上方に面する分配開口部など）を介して分配され得る物品にアクセスすることも典型的であると更に一般に考えられている。したがって、リッドディスペンサー１３０によって形成された代表的な分配開口部１３１を介して分配するための例示的物品１０１の最適な配向は、図２に示されるようなもの、つまり、ユーザーの指が後方に面する端部１３５から前方に面する端部１３７に向けて動かされるときに、物品１０１の端部への容易なアクセスを可能にする縦配向である。
【００１８】
図１及び図２を参照すると明らかとなるように、代表的なディスペンサー付きカートン１００のディスペンサー１２０及び１３０は、それらからの物品１０１の最適な分配が得られるように構成されかつ配置される。具体的には、物品１０１は、最適な横向き配向状態にある、ディスペンサードアの形態の、代表的なディスペンサー１２０を介して分配され、物品１０１は、最適な縦配向状態にある、引き上げ式蓋の形態の、代表的なリッドディスペンサー１３０を介して分配される。いずれかのディスペンサーを介して分配するための、物品１０１の最適な配向を可能にするディスペンサー１２０、１３０の望ましい配向を達成する１つの方法は、図１と図２とを比較すると分かるように、リッドディスペンサー１３０の側壁部とほぼ平行なヒンジ１２３を中心に開くディスペンサードア１２０を形成することである。（物品１０１の長手方向軸Ｌは、リッドディスペンサー１３０の側壁部１３４及び１３６とほぼ平行に整列される）。分配開口部１２１を介して分配するための最適な配向が得られるように、物品１０１の長手方向軸Ｌは、カートン１００の端壁部１１０、１１２とほぼ垂直（したがって、リッドディスペンサー１３０のヒンジ１３３とほぼ垂直）である。リッドディスペンサー１３０のヒンジ１３３が側壁部１３４、１３６とほぼ垂直であると、物品１０１は、ヒンジ１３３とほぼ垂直であり、したがって、分配開口部１３１を介して縦に分配されるように配向される。
【００１９】
本発明の上述の態様と共に任意に適用され得る本発明の更なる態様によると、少なくとも２つのディスペンサーを有するカートンは、物品が自動包装又は物品装填装置にとって最適な配向でカートンの中に装填され得るように、及び好ましくは、物品がディスペンサー付きカートン内における物品の最適な配向で配向され得るように（例えば、分配開口部を介して分配されるのに最適な配向が得られるようになど）形成される。自動包装装置の構成は若干限定され得ることが理解されるであろう。例えば、自動包装装置の物品装填装置は、物品装填装置が中に物品を装填する包装に対して物品装填装置がどのように配向され得るかという点で限定され得る。より詳細には、物品を装填するための物品装填装置は、典型的には、中に物品が装填される包装に対する物品の配向に関し、多くの選択肢を提供しない。
【００２０】
本発明のこの更なる態様によると、ディスペンサー付きカートン１００は、少なくとも２つの分配開口部を有し、かつ、物品１０１が分配開口部と干渉することなく、好ましくは物品１０１が所望の配向でディスペンサー付きカートン１００内に配置されて、物品１０１を中に装填するように構成される。本発明のこの態様に従った好ましい実施形態では、物品１０１は、ディスペンサー付きカートン１００の２つの分配開口部の少なくとも一方に対して、２つの分配開口部の少なくとも一方を介して分配されるのに最適な配向で配向されるように、ディスペンサー付きカートン１００内に配置される。図１の代表的な実施形態及び図７の代表的な実施形態（物品を中に装填するために部分的に組み立てられた、図１及び図２のディスペンサー付きカートン１００を形成するために使用され得る代表的なブランクを示す）を参照すると分かるように、ディスペンサー付きカートン１００は、端壁部１１０、１１２（図の実施形態では、端壁部１１０）に沿って装填するのを目的とした本発明のこの態様に従って形成される。図７の代表的な実施形態では、物品１０１をディスペンサー付きカートン１００の中に装填するために使用される装填装置４００は、物品１０１を軸方向に装填する（即ち、物品１０１がそれらの長手方向軸Ｌに沿って移動されるように、物品１０１をディスペンサー付きカートン１００に押し込む）。更にディスペンサー１２０、１３０は、端壁部１１０、１１２とほぼ垂直な壁部に沿って配向されるのが好ましく、物品１０１は、ディスペンサー１２０、１３０が物品１０１の装填を妨げないように物品１０１が分配される。好ましくは、ディスペンサー１２０、１３０は、物品１０１が分配開口部１２１、１３１の少なくとも一方を通る最適な分配のために配向される。
【００２１】
図１及び図２の代表的な実施形態では（及び図３の代表的なブランク２００及び図４の代表的なブランク３００を参照すると分かるように）、ディスペンサードアの形態のディスペンサー１２０は、主壁部１０２、１０４の一方（具体的には、主壁部１０２）に沿って形成される。特に、ディスペンサードア１２０は、端壁部１１０、１１２とほぼ垂直な旋回軸又はヒンジ１２３（以下、限定を意図せずに便宜上「ヒンジ」）とともに配向され、それにより、物品１０１の長手方向軸Ｌは、分配開口部１２１を介した物品１０１の最適な分配が得られるように、ドア１２０内で望ましい横向きの配向でヒンジ１２３と実質的に整列される。更に、図１及び図２の代表的な実施形態では（及び図７の代表的なブランク２００を参照すると分かるように）、引き上げ式蓋の形態のディスペンサー１３０は、主壁部１０２、１０４のもう一方（具体的には、主壁部１０４）に沿って形成される。特に、リッドディスペンサー１３０は、端壁部１１０、１１２ととほぼ平行な旋回軸又はヒンジ１３３（以下、限定を意図せずに便宜上「ヒンジ」）とともに配向され、それにより、物品１０１の長手方向軸Ｌは、リッドディスペンサー１３０及び分配開口部１３１を介した物品１０１の最適な分配が得られるように、物品１０１の望ましい縦配向で、ヒンジ１３３とほぼ垂直である。いずれかのディスペンサーを介して分配するための、物品１０１の最適な配向を可能にするディスペンサー１２０、１３０の望ましい配向を達成する１つの方法は、図１と図２とを比較すると分かるように、リッドディスペンサー１３０の側壁部とほぼ平行なヒンジを中心に開くディスペンサードア１２０を形成することである。好ましくは、ディスペンサードア１２０は、リッドディスペンサー１３０がそれに沿って形成される壁部に隣接しない壁部に沿って形成される。
【００２２】
理解されるように、容易な組み立てを可能にするやり方でディスペンサー付きカートン１００を形成するのが望ましい。より詳細には、本発明の上記態様の一方又は両方に従って形成されるカートン１００へと組み立てるのが容易であるブランクからカートン１００を形成するのが望ましい。本発明の原理に従って形成されるディスペンサー付きカートンへと組み立てるのが比較的容易であり、かつ本発明の原理に従って物品を装填するのが比較的容易である、代表的なブランク２００、３００が、図３〜図７に示される。ブランク２００は単一のブランクである一方で、ブランク３００は複数のブランク構成要素から組み立てられることを除き、代表的なブランク３００は代表的なブランク２００と類似している。こうした違いの他は、ブランク２００、３００の形成部は実質的に同じである。したがって、ブランク２００のカートンへの組み立てを示す図５〜図７に関し、ブランク２００を参照するが、図５〜図７の説明は、ブランク３００のカートンへの組み立てにも実質的に同様に適用可能である。一般に、以下の説明において、ブランク２００の要素又は形成部と同様のブランク３００の要素又は形成部は、１００だけ増えた同じ参照番号を用いて指定され、冗長な記述は省略される。
【００２３】
ここで図３を参照すると、代表的なブランク２００は、複数のパネル２０２、２０４、２０６、２０８、２１０（２１０ａ及び２１０ｂはまとめて２１０と称される）、２１２を有し、これらパネルは、ブランク２００を折り畳むと、図１及び図２の代表的なカートン１００の壁部１０２、１０４、１０６、１０８、１１０、１１２のような壁部を形成する。ブランク２００のパネルを区別するため、及びブランク２００の折り畳み並びに上述されたもののようなディスペンサーの形成を容易にするために、様々な折り目及び脆弱線が提供されている。本明細書で使用するとき、用語「ひだ折り目」又は「折り目」とは、領域を中心とした分離を促進せずに折り曲げ（例えば、折り畳）を促進又は増進する構造体の該領域を指す。一実施形態において、ひだ折り目は半切断であってもよい、即ち、切断領域における材料の曲げ又は折り目付けを助けるために、材料は材料の途中まで切断され得る。あるいは、別の実施形態では、材料は、曲げを促進するために刻み目が付けられてもよい。本明細書で使用するとき、用語「脆弱線」とは、一体型又は単一構造体を少なくとも２つの構造体に分離するのを促進又は増進する材料の領域を意味する。したがって、脆弱線は、エンボス加工、折り目付け、若しくは切断などであるがこれらに限定されない機械的手段、又は、化学エッチング、レーザー、加熱などであるがこれらに限定されない非機械的手段を、あるいは機械的手段及び非機械的手段の組み合わせを用いて形成され得る。ある実施形態では、脆弱線は、切断及びランド領域の交互線である（例えば、穿孔）。本明細書で使用するとき、用語「スリット」とは、連続切断によって形成される材料の領域を意味する。材料は、線の始まりから線の終わりまで完全に分離される。
【００２４】
主壁部パネル２０２の一部はディスペンサーパネル２２２ａと指定され、以下に更に詳細に記載するように、このパネル部分は、好ましくは、ディスペンサーの前壁部（例えば代表的なカートン１００のディスペンサー１２０の前壁部１２２）の少なくとも一部を形成するように、脆弱線２２３に沿って主壁部パネル２０２から分離可能である。追加パネルであるディスペンサー連結パネル２２２（典型的には、当該分野において「製造者の接合部（manufacturer's join）の接着フラップ」と呼ばれる、即ち、追加パネルは、一般に、立方体型カートンの４つの主パネルのうちの１つと関連付けられる又は重なる）は、ディスペンサーパネル２２２ａと重なって、ディスペンサー１２０の前壁部１２２などの壁部の内側パネルを形成するように提供され得る。ディスペンサー連結パネル２２２の両側から延びているのは、ディスペンサーパネルの側面部分２２４、２２６であり、これらはそれぞれ、代表的なディスペンサー１２０の側壁部１２４、１２６を形成し得る。ストッパータブ２２４ａ、２２６ａは、ディスペンサーパネルの側面部分２２４、２２６の少なくとも一方から延出し、パネル２２２、２２２ａ、２２４、及び２２６によって形成されるディスペンサードアの外向き旋回の程度を制限するために、ディスペンサードアがそこから延出する壁部パネルの内側表面と当接する（図１の実施形態の場合には、ブランク２００をカートンへと組み立てる際に主壁部１０２と当接する）のが好ましい。主壁部パネル２０４の一部は、ディスペンサーの前側パネル部分２３２と指定され得、以下に更に詳細に記載するように、このパネル部分は、代表的なカートン１００のリッドディスペンサー１３０の上部壁部１３２といったディスペンサーの壁部の少なくとも一部を形成するために、脆弱線２３３に沿って主壁部パネル２０４の残部と蝶番状に連結される及び分かれるのが好ましい。
【００２５】
同様に、ブランク３００（図４に示される）は、複数のパネル３０２、３０４、３０６、３０８、３１０（３１０ａ及び３１０ｂはまとめて３１０と称される）、３１２を有し、これらパネルは、ブランク３００を折り畳むと、図１及び図２の代表的なカートン１００の壁部１０２、１０４、１０６、１０８、１１０、１１２のような壁部を形成する。ブランク３００のパネルを区別するため、及びブランク３００の折り畳み並びに上述されたもののようなディスペンサーの形成を容易にするために、ブランク２００と同様に様々な折り目及び脆弱線が提供されている。主壁部パネル３０２の一部はディスペンサーパネル３２２ａと指定され、以下に更に詳細に記載するように、このパネル部分は、好ましくは、ディスペンサーの前壁部（例えば代表的なカートン１００のディスペンサー１２０の前壁部１２２）の少なくとも一部を形成するように、脆弱線３２３に沿って主壁部パネル３０２から分離可能である。追加のディスペンサー連結パネル３２２（「製造者の接合部の接着フラップ」）は、ディスペンサーパネル３２２ａと重なって、ディスペンサー１２０の前壁部１２２などの壁部の内側パネルを形成するように提供され得る。ディスペンサー連結パネル３２２の両側から延びているのは、ディスペンサーパネルの側面部分３２４、３２６であり、これらは、代表的なディスペンサー１２０の側壁部１２４、１２６をそれぞれ形成し得る。ストッパータブ３２４ａ、３２６ａは、ディスペンサーパネルの側面部分３２４、３２６の少なくとも一方から延出し、パネル３２２、３２２ａ、３２４、及び３２６によって形成されるディスペンサードアの外向き旋回の程度を制限するために、ディスペンサードアがそこから延出する壁部パネルの内側表面と当接する（図１の実施形態の場合には、ブランク２００をカートンへと組み立てる際に主壁部１０２と当接する）のが好ましい。主壁部パネル３０４の一部はディスペンサーパネル部分３３２と指定され、以下に更に詳細に記載するように、このパネル部分は、好ましくは、ディスペンサーの壁部（例えば代表的なカートン１００のリッドディスペンサー１３０の上部壁部１３２）の少なくとも一部を形成するために、脆弱線３３３に沿って主壁部パネル３０４の残部と蝶番状に連結される及び分かれるのが好ましい。
【００２６】
理解されるように、代表的なカートン１００の端壁部１１０などの端壁部は、単一主フラップ若しくはパネル（限定を意図せずに便宜上、本明細書においては「パネル」）から、あるいは２つの主パネル、例えば、ブランク２００端壁部の主パネル２１０ａ、２１０ｂ又はブランク３００の端壁部の主パネル３１０ａ、３１０ｂなどから形成されてもよく、これら一対のパネルは、重なり合って単一壁部を形成するのが好ましい。主パネル２１０ａ、２１０ｂ、及び３１０ａ、３１０ｂがそれぞれその上に重ねらかつ連結され得る小さい方のフラップ又はパネル２１０ｃ、２１０ｄ、及び３１０ｃ、３１０ｄも提供され得るので、パネル２１０ａ、２１０ｂ、３１０ａ、３１０ｂは「主」パネルとして参照されている。カートンを組み立てるためのブランクのパネル若しくはフラップ又は他の構成要素の連結に関して本明細書で使用される場合、「連結」は、例えば、接着剤を使用するなどして接着されることによって、構成要素を一緒に維持するものとして理解されるべきである。一対の端壁部の主パネル２１０ａ、２１０ｂ及び３１０ａ、３１０ｂの一方は、他方の一対よりもわずかに大きい（端壁部の主パネル２１０ａ、２１０ｂ及び３１０ａ、３１０ｂがそこから延出する主壁部パネル２０２、２０４、３０２、３０４から離れて延びる方向に）ことが理解されるであろう。好ましくは、この対の大きい方は、この対の小さい方の上に重ねられ、それにより、主壁部パネル１０２と１０４との間に実質的に完全に延びる端壁部が形成される。必要に応じて、端壁部１１０を形成するパネルは、端壁部１１０が、当該分野では「シリアルの箱の閉鎖体」として知られる形態の第３の再封可能なディスペンサーとして機能し得るように構成され得る。より詳細には、端壁部の主パネル２１０ａ、２１０ｂ又は端壁部の主パネル３１０ａ、３１０ｂは、部分的重なりシールを形成するように成形され得る（即ち、パネルは重なるが、いずれのパネルも、ブランク２００／３００がカートン１００へと組み立てられたときに端壁部の主パネル２１０ａ、２１０ｂ及び３１０ａ、３１０ｂがそれぞれ延びる主壁部パネル２０２と２０４との間又は３０２と３０４との間の全距離に延びていない）。このようなパネルは、カートン１００を開いてその内容物にアクセスするために分離されることができ、また、パネルの一方の自由縁部に形成されるタブをパネルの他端のスリットに挿入して、端壁部の主パネルを閉じた形状にすることによって再封されることができる。
【００２７】
代表的なカートン１００の端壁部１１２などの端壁部は、端壁部１１０と同様に、単一主フラップ又はパネル（限定を意図せずに便宜上、本明細書においては「パネル」）から、あるいは２つの主パネル、例えば、ブランク２００の端壁部の主パネル２１２及びパネル２３８又はブランク３００の端壁部の主パネル３１２及びパネル３３８などから形成されてもよく、これらパネルは、重なり合って単一壁部を形成するのが好ましい。端壁部のパネル２３８、３３８は、以下に更に詳細に記載するように、引き上げ式ディスペンサーの前端壁部（例えば、代表的なカートン１００の前端壁部１３８など）を形成するために使用される部分パネルであり得ることが理解されるであろう。小さい方のパネル２３８ａ、２３８ｂは、パネル２３８を側壁部パネルの一画２０６ａ及び２０８ａ（以下に更に詳細に記載するように、それぞれ、引き上げ式蓋を形成するために分離されることになる側壁部パネル２０６、２０８の一画）に対して適切な位置に維持するために、パネル２３８の下に折り込まれ得る。同様に、小さい方のパネル３３８ａ、３３８ｂは、パネル３３８を側壁部パネルの一画３０６ａ及び３０８ａ（以下に更に詳細に記載するように、それぞれ、引き上げ式蓋を形成するために分離されることになる側壁部パネル３０６、３０８の一画）に対して適切な位置に維持するために、パネル３３８の下に折り込まれ得る。
【００２８】
図２を参照すると明らかとなるように、ディスペンサーの前側パネル部分２３２に連結されかつそこから延びた状態を維持して引き上げ式蓋を形成するのに寄与するために、側壁部パネルの一画２０６ａ、２０８ａ及び３０６ａ、３０８ａが、それぞれ、脆弱線２３７、２３５、及び３３７、３３５に沿って側壁部パネル２０６、２０８及び３０６、３０８から分離される実施形態では、側壁部パネル２０６、２０８及び３０６、３０８によって形成される側壁部は、部分壁部として持ち上げられないのが望ましくあり得る。側壁部パネルの一画２０６ａ、２０８ａ及び３０６ａ、３０８ａが、それぞれ、側壁部パネル２０６、２０８及び３０６、３０８から分離する際に、完全な側壁部（即ち、カートン１００のようなディスペンサー付きカートンの場合には、矩形の側壁部を形成する矩形パネル）が形成され得るように付加的側壁部パネル２１６、２１８及び３１６、３１８が完全な（ほぼ矩形の）パネルを提供するように、付加的側壁部パネル２１６、２１８及び３１６、３１８が提供され得る。単一のブランク２００では、以下により詳細に記載するように、付加的側壁部パネル２１６、２１８は、端壁部の小さい方のパネル２１０ｃ、２１０ｄから延び、かつそれらの上に折り重ねられる。複合構成要素のブランク３００では、側壁部パネル３１６、３１８は、側壁部パネル３０６、３０８を完成させるために側壁部パネル３０６、３０８の上に重ねられかつ連結される、独立して形成されたパネルである。必要に応じて、付加的側壁部パネル２１６、２１８は側壁部パネル２０６、２０８に連結され得、付加的側壁部パネル３１６、３１８は側壁部パネル３０６、３０８に連結され得る。しかしながら、そうした取り付けは必須でなく、行われる必要はない。好ましくは、付加的側壁部パネル２１６、２１８又は３１６、３１８と連結された状態を維持せずにリッドディスペンサー１３０を容易に開けることができるように、付加的側壁部パネル２１６、２１８は、それぞれ、側壁部パネルの一画２０６ａ及び２０８ａに連結されず、付加的側壁部パネル３１６、３１８は、それぞれ、側壁部パネルの一画３０６ａ及び３０８ａに連結されないことが理解されるであろう。
【００２９】
端壁部の主パネル２１２、３１２も、それぞれ、端壁部の小さい方のパネル２１２ａ、２１２ｂ及び３１２ａ、３１２ｂの上に重ねられかつ連結され得る（端壁部の主パネル２１０、３１０及びそれらの対応の端壁部の小さい方のパネル２１０ｃ、２１０ｄ及び３１０ｃ、３１０ｄと同様に）。図１の単一のブランク２００を参照すると分かるように、側壁部パネル２０６、２０８に重なるように側壁部パネル２１６、２１８が折り畳まれる際に、端壁部の小さい方のパネル２１２ａ、２１２ｂは、端壁部の主パネル２１２によって覆われるように配置される。図２の複合構成要素のブランク３００を参照すると分かるように、独立して形成されたサイドパネル３１６、３１８を側壁部パネル３０６、３０８の上に重ねる際、小さい方のパネル３１２ａ、３１２ｂは、折り畳まれて端壁部の主パネル３１２によって覆われるように適切に配置される。端壁部パネル２３８、３３８もまた、端壁部の小さい方のパネル２１２ａ、２１２ｂ及び３１２ａ、３１２ｂの上に重ねられるのが望ましいことが理解されるであろう。しかしながら、端壁部パネル２３８、３３８が、ディスペンサードア１２０のような引き上げ式のリッドディスペンサーの前壁部を形成する実施形態では、端壁部パネル２３８、３３８は、それぞれ、小さい方のパネル２３８ａ、２３８ｂ、及び３３８ａ、３３８ｂのみに連結され、端壁部の小さい方のパネル２１２ａ、２１２ｂ及び３１２ａ、３１２ｂに連結されない。
【００３０】
上述の通り、リッドディスペンサー１３０のようなリッドディスペンサーがブランク２００又はブランク３００から形成される場合には、蓋を閉じた形状に保持するための係止機構を設けるのが望ましくあり得る。そのような係止機構の１つは、スロットなどの戻り止めと係合する、タブなどの突起部の形態であり得る。かかる機構は、代表的なブランク２００では、端壁部の主パネル２１２から延出する係止タブ２４０と、係止パネル２４２に形成されるスロット２４４（これは、端壁部パネル２３８の内面から延び、かつ端壁部パネル２３８の内面で覆われるように折り畳まれる）とによって提供され得る。多数部の品代表的なブランク３００では、タブ３４０は端壁部の主パネル３１２の伸張された部分として（従って端壁部の主パネル３１２と一体となって）容易に形成され得るが、スロット３４４は、任意に、端壁部パネル３３８と連結され得る独立して形成された係止パネル３４２に設けられ得る。
【００３１】
ここで図３〜図７を参照すると、本発明の原理に従って形成される機構と共にカートンを形成する代表的なブランク２００の折り畳みをここで説明する。ブランク３００を折り畳む方法について言及しないが、代表的なブランク２００の要素への言及は、一般に、代表的なブランク３００の対応する機構に当てはまる（上で述べたように、要素は１００だけ増えた同じ参照番号を用いて参照される）。本明細書で論じられかつ記載されるように、折り目に沿った隣接する壁部の折り畳みは、互いに対してほぼ１８０度の角度で隣接する壁部から（ブランクの少なくともこの部分は実質的に平坦である）から、隣接する壁部が互いに対して角度を成す（典型的には９０度の角度）位置への方向であるのが好ましい。換言すると、図３を参照すると、ブランクの壁部は紙面から出る方向に折り畳まれ、ブランク２００の図示の表面は、該表面から形成されるカートンの内面を形成する（反対に、図示されていない表面はカートンの外面を形成する）。
【００３２】
代表的なブランク２００のパネルの上記説明を参照すると分かるように、ブランク２００を組み立てられたディスペンサー付きカートンへと折り畳む前の予備工程は、好ましくは、付加的側壁部パネル２１６、２１８を側壁部パネル２０６、２０８と重ねられた関係に置くために、また、小さい方のパネル２１２ａ、２１２ｂを端壁部の主パネル２１２で覆われた適切な位置に置くために、ブランク２００を折り目２１７、２１９に沿って折り畳むことである。更に、好ましくは、係止パネル２４２は、ブランク２００が組み立てられたときに係止タブ２４０を受容するようにパネル２３８と重なるように、パネル２３８に対して折り目２４３に沿って折り畳まれる。しかしながら、折り目２４３に沿った係止パネル２４２の折り畳みは、パネル２１２及び２３８から端壁部１１２を形成する前に、後になって行われてもよい。ブランク３００に関し、相当する予備工程は、（ａ）小さい方のパネル３１２ａ、３１２ｂを端壁部の主パネル３１２で覆われるように適切に配置された状態で、独立して形成されたサイドパネル３１６、３１８をブランク３００の側壁部パネル３０６、３０８と、（ｂ）独立して形成された係止パネル３４２がブランク３００の端壁部パネル３３８で覆われる適所において、独立して形成された係止パネル３４２を端壁部パネル３３８と、連結することである。
【００３３】
分配カートンは、第１の場所で形成されるブランクから形成され、別の第２の場所で充填される場合が多いので、本発明の原理に従って形成されるブランクは、充填及び最終組み立てのためにポップアップされ得る平坦な初期形状に折り畳まれる（ブランクが形成される第１の場所、又は別の場所のいずれかにおいて）のが好ましい。したがって、図５に示されるように、組み立てられたカートンを形成するためにブランク２００を折り畳む第１の工程は、折り目２０９（側壁部パネル２０８と主壁部パネル２０４との間）及び折り目２０７（側壁部パネル２０６と主壁部パネル２０２との間）に沿ってブランク２００を折り畳むことである。ディスペンサーパネル２２２ａの内面は、ディスペンサー連結パネル２２２の外面に連結される。得られた圧潰したカートンは、側壁部パネル２０８と実質的に同一面内の主壁部パネル２０２と、側壁部パネル２０６と実質的に同一面内の主壁部パネル２０４と、を有し、パネル２０２及び２０８はパネル２０４及び２０６の上に位置する。こうした圧潰構造は、異なる場所でカートンを組み立てるために複数のこのような圧潰された平坦なカートン（例えば、数百個のカートン）を出荷するのを容易にする。係止パネル２４２は、上記折り畳み工程の前に、（係止パネル２４２及び端壁部パネル２３８の内面が互いに当接した状態で）端壁部パネル２３８と接触して置かれるように、折り目２４３に沿って折り畳まれるのが好ましいことが理解されるであろう。
【００３４】
図５に示されるような平坦で圧潰したカートンを充填の準備が整った状態に組み立てるのは、比較的簡単である。対の上部及び下部壁部（図５の代表的な平坦で圧潰したカートンの場合には、壁部２０２、２０８及び壁部２０４、２０６）を、各対に関し、対の短い方に向かう方向に互いに対してシフトさせる。したがって、図５の代表的な実施形態では、壁部２０２、２０８は、壁部２０８に向かう方向にシフトされ、壁部２０４、２０６は、壁部２０６に向かう方向にシフトされる。次に、平坦な圧潰されたカートンは、図６に示される形状にパッと開かれる。
【００３５】
図６を参照すると分かるように、代表的なブランク２００又は３００から形成されたカートンの充填は、端壁部の主パネル２１２又は２１０（例えば、２１０ａ及び２１０ｂ）がこれに沿って位置する末端部の一方を介して行われる。好ましくは、物品は、この末端部の１つを介してカートンの中に装填され、もう一方の末端部は、装填中に物品がカートンの外に不注意に押し出される（又は別の方法で不注意に出る）のを阻止するため、少なくとも部分的に閉鎖される。図５〜図７の代表的な実施形態では、物品は、ブランク２００又は３００から形成されるカートンの末端部（この末端部に沿って端壁部の主パネル２１０ａ、２１０ｂが形成される）を介して装填される。好ましくは、端壁部の小さい方のフラップ２１２ｂが折り目２１３ｂに沿ってディスペンサーパネル部分２２４の上に内方へ折り畳まれる前に、ディスペンサーパネルの側面部分２２４が、折り目２２５に沿って内方へ（ディスペンサー連結パネル２２２とほぼ垂直になるように）折り畳まれる。図７に示されるように、少なくとも端壁部の小さい方のパネル２１２ａ、２１２ｂは、カートンが物品１０１で充填される前に、対応の折り目２１３ａ、２１３ｂに沿って内方へ（側壁部パネル２０６、２０８とほぼ垂直になるように）折り畳まれる。
【００３６】
カートンの装填末端部と反対側の残りのパネルは、物品１０１がカートンの中に装填された後に、完全に組み立てられた又は閉じた形状に折り畳まれ得る。引き上げ式のリッドディスペンサーを形成するために、端壁部の主パネル２１２は、好ましくは、端壁部の小さい方のパネル２３８ａ、２３８ｂ及び端壁部パネル２３８が、それぞれ折り目２３９ａ、２３９ｂ、及び２３９に沿って内方へ折り畳まれる前に、折り目２１３に沿って内方へ折り畳まれる（及び好ましくは、端壁部の小さい方のパネル２１２ａ、２１２ｂと連結される）。更に、係止タブ２４０は、（図７に見られるように主端壁部パネル２１２の下に）折り目２４１に沿って外方に折り畳まれ、それにより、主端壁部パネル２１２がカートンの末端を閉じる位置（即ち、主壁部パネル２０２及び２０４とほぼ垂直な位置）へと折り畳まれると、係止タブ２４０は、端壁部の小さい方のパネル２３８ａ、２３８ｂを内方へ折り畳んだ後、端壁部パネル２３８を端壁部の小さい方のパネル２３８ａ、２３８ｂの上に折り畳み、これらパネルを一緒に連結すると形成される引き上げ式のリッドディスペンサーの前壁部と係止係合するように、カートンから離れて突出する。係止タブ２４０は、それによって、（図７において可視でない、端壁部パネル２３８の内側に沿って配置される）スロット２４４と係止するように配置される。
【００３７】
ブランク２００（又は３００）によって形成されたカートン内に物品１０１が完全に装填されると、カートンの装填末端部に沿ったパネルは、好ましくは、装填末端部を閉鎖して、ブランクを閉じたカートン形状へと完全に組み立てるように折り畳まれる。好ましくは、端壁部の小さい方のパネル２１０ｃ、２１０ｄが、対応の折り目２１１ｃ、２１１ｄに沿って（それぞれ側壁部パネル２０６、２０８とほぼ垂直な位置へと）内方へ折り畳まれる前に、ディスペンサーパネルの側面部分２２６が、最初に、折り目２２７に沿って内方へ（ディスペンサー連結パネル２２２とほぼ垂直になるように）折り畳まれる。好ましくは、付加的側壁部パネル２１６は、折り目２１１ｃと一致する折り目２１１ｅを含み、それにより、端壁部の小さい方のパネル２１０ｃを折り目２１１ｃに沿って折り畳む際に、付加的側壁部２０６を折り目２１１ｅを中心に折り畳むことができる。同様に、付加的側壁部パネル２１８は、折り目２１１ｄと一致する折り目２１１ｆを含むのが好ましく、それにより、端壁部の小さい方のパネル２１０ｃを折り目２１１ｃに沿って折り畳む際に、付加的側壁部２０８を折り目２１１ｆを中心に折り畳むことができる。次に、端壁部の主パネル２１０ａ、２１０ｂが、端壁部の小さい方のパネル２１０ｃ、２１０ｄの上に、折り目２１１ａ、２１１ｂに沿って内方へ折り畳まれ、好ましくはパネル２１０ｃ、２１０ｄに連結される。端壁部の主パネル２１０ａ、２１０ｂの一方が他方より小さい場合、２つのうちの小さい方が最初に内方へ折り畳まれるのが好ましく、その後、２つのうちの大きい方が小さい方の上に折り重ねられ、かつこれに連結される。ブランク２００は、このようにして、充填されかつ閉じられたカートンへと完全に組み立てられる。
【００３８】
組み立てられたカートンが物品１０１を分配するように準備するために、パネルによって形成されたディスペンサーが開くのを可能にするように、脆弱線２２３、２３５、及び２３７を破壊するないしは別の方法でかかる脆弱線に沿って切断する。特に、ディスペンサーパネル２２２ａ及び（ディスペンサーパネル２２２ａの内面に連結された）ディスペンサー連結パネル２２２が、主壁部パネル２０２から離れて、図１に示されるような開いた形状へと旋回され得るように、脆弱線２２３が破壊されてディスペンサーパネル２２２ａを主壁部パネル２０２から分離することができる。脆弱線２３５、２３７は破断して側壁部パネル２０６、２０８から側壁部パネルの一画２０６ａ、２０８ａをそれぞれ分離し、それによって、主パネル２０４から離れて上向きに及び脆弱線２３３を中心に旋回して（これによりリッドディスペンサーのヒンジ１３３を形成する）、図２に示されるような開いた形状となる引き上げ式のリッドディスペンサーが形成されるのを可能にし得る。
【００３９】
カートンの端壁部を形成する様々なパネル及びタブを折り畳む順番は、少なくともある程度、変更され得ることが理解されるであろう。例えば、上述のパネル２１２、２３８、２３８ａ、２３８ｂの折り畳みは、パネル２１０ａ、２１０ｂ、２１０ｃ、２１０ｄの折り畳みの後に実施されてもよい。方向の参照語である「上部」、「底部」、「前側」、「後側」、「左」、及び「右」は、各パネルをこうした配向に限定するものではなく、これらパネルを互いに区別するためにのみ役立つことが更に理解されるであろう。最後に、明示的に示されているかどうかに関わらず、一実施形態に関して記載された特徴は、典型的には別の実施形態に適用することができることが理解されるであろう。以下に記載される様々な特徴は、単独で又は任意の組み合わせで用いられ得る。したがって、本発明は、本明細書に具体的に記載される実施形態のみに制限されない。
【００４０】
図に図示される例示的な実施形態は、幾つかの別個かつ独立した独創的な特長を有し、これは、それぞれが、少なくとも単体で、本発明に望ましいが、依然として不可欠ではない、独自の利益を有する。したがって、本発明の様々な別個の特長は、本発明の所望の特徴及び／又は利益のうちの少なくとも幾つかを達成するために、全てが存在する必要はない。本発明の原理に従って形成されるディスペンサー付きカートンにおいて、１つ又はそれ以上の別個の特徴が組み合わせられてもよく、又は様々な特徴のうちの１つのみが存在する必要があってもよい。更に、本出願を通して、参照番号は本発明の包括的要素及び特徴を示すために使用される。形態、形状、構造当が同一ではないが、同様の機能又は利益をもたらす要素又は特徴を示すために、同じ参照番号が使用され得る。同様の要素又は特徴を互いに区別するために、更なる参照文字（例えば、数字ではなく文字など）が使用され得る。
【００４１】
前述の説明及び図面は、本発明の代表的な実施形態を表すが、本発明の趣旨及び範囲から逸脱することなく、それらに様々な追加、修正、及び置換を行い得ることが理解されよう。特に、本発明が、他の特定の形態、構造、位置付け、比率で、また他の要素、材料、及び構成要素を用いて、その趣旨又は本質的な特性から逸脱することなく具現化され得ることが、当業者には明らかとなるであろう。当業者は、本発明が、本発明の原理から逸脱することなく、特定の環境及び動作要件に特に適合される、本発明の実践において使用される、構造、位置付け、比率、材料、及び構成要素の多くの修正を伴って、並びに別の方法で、使用され得ることを認識するであろう。例えば、一体形成されたものとして示される要素は、一体形成され得る複数の部分として示される複数の部分又は要素で構築されてもよく、要素の動作は、反転される、ないしは別の方法で変化されてもよく、要素のサイズ又は寸法は、変化されてもよい。したがって、今般開示される実施形態は、あらゆる点において、限定的なものではなく、例示的なものであると見なされるべきであり、本発明の範囲は、添付の特許請求の範囲によって示され、前述の説明に限定されることはない。
【００４２】
特許請求の範囲において、用語「含む／含んでいる」は、他の要素又は工程の存在を除外するものではない。更に、個別的に記載されていても、複数の手段、要素又は方法工程が、例えば単一のユニット又はプロセッサにより実現されることもできる。更に、個別の特徴が異なる請求項に含まれる得るが、これらは可能であれば有利に結合されることができ、異なる請求項に含まれることは、これらの特徴の組み合わせが、実現できない及び／又は有利でないことを意味するものではない。更に、単数形の参照は、複数性を排除するものではない。「ａ」、「ａｎ」、「第１の」、「第２の」等の用語は、複数性を排除するものではない。請求項における参照符号は、単に明確化のための例として与えられ、請求項の範囲をいかなる態様でも限定するものとして解釈されるべきではない。
【００４３】
〔実施の態様〕
（１）  複数の物品をカートン内に収容し、かつ前記カートンの内部から分配するためのカートンであって、前記カートンが、
第１の主壁部と、
前記第１の主壁部と対向する第２の主壁部と、
前記第１の主壁部と前記第２の主壁部との間に延在する第１の側壁部と、
前記第１の側壁部と対向し、かつ前記第１の主壁部と前記第２の主壁部との間に延在する第２の側壁部と、
前記第１の主壁部と前記第２の主壁部との間、及び前記第１の側壁部と前記第２の側壁部との間に延在する第１の端壁部と、
前記第１の端壁部と対向し、かつ前記第１の主壁部と前記第２の主壁部との間、及び前記第１の側壁部と前記第２の側壁部との間に延在する第２の端壁部と、
前記第１の主壁部内に形成される第１のディスペンサーと、
前記第２の主壁部内に形成される第２のディスペンサーと、
を含み、
前記第１のディスペンサーが、ディスペンサードアのヒンジを中心に、開いた形状と閉じた形状との間で旋回するように構成されるディスペンサードアであり、
前記第２のディスペンサーが、リッドディスペンサーのヒンジを中心に、開いた形状と閉じた形状との間で旋回するように構成されるリッドディスペンサーであり、
前記ディスペンサードアのヒンジが前記リッドディスペンサーのヒンジとほぼ垂直である、
カートン。
（２）  前記第１の端壁部及び前記第２の端壁部の少なくとも一方が、前記端壁部を通り、前記カートンの中に物品を装填するのが可能となるように開いた形状を維持することができ、前記カートンの中への物品の装填が完了した後に閉じることができる、実施態様１に記載のカートン。
（３）  前記第１の端壁部及び前記第２の端壁部の前記少なくとも一方が、重なりフラップから形成され、前記重なりフラップが、前記物品がそこを通って前記カートンの中に装填された後に一緒に連結される、実施態様２に記載のカートン。
（４）  前記ディスペンサーの蓋が、第１の主壁部の一部から形成される上部壁部と、前記第１の端壁部及び前記第２の端壁部の一方に沿った前壁部と、を有し、
前記第１の主壁部の前記一部が、前記第１の端壁部及び前記第２の端壁部の他方とほぼ平行に延びかつこれと離間するヒンジ線に沿って、前記第１の主壁部の残部と連結される、実施態様１に記載のカートン。
（５）  前記ディスペンサーの蓋が、前記カートンの前記第１の側壁部の一部から形成された第１の側壁部と、前記カートンの前記第２の側壁部の一部から形成された第２の側壁部とを有する、実施態様４に記載のカートン。
【００４４】
（６）  前記ディスペンサーの蓋を開けると、前記ディスペンサーの蓋の前記第１の側壁部が、前記カートンの部分的第１の側壁部を残して前記カートンの前記第１の側壁部から分離され、前記ディスペンサーの蓋の前記第２の側壁部が、前記カートンの部分的第２の側壁部を残して前記カートンの前記第２の側壁部から分離され、前記カートンが、
前記ディスペンサーの蓋を開いて、前記ディスペンサーの蓋の前記第１の側壁部を前記カートンの前記第１の側壁部から離れて移動させると、前記第１の付加的側壁部が前記カートンの前記部分的第１の側壁部を完成させるように、前記カートンの前記第１の側壁部に沿って配置される第１の付加的側壁部パネルと、
前記ディスペンサーの蓋を開いて、前記ディスペンサーの蓋の前記第２の側壁部を前記カートンの前記第２の側壁部から離れて移動させると、前記第２の付加的側壁部が前記カートンの前記部分的第２の側壁部を完成させるように、前記カートンの前記第２の側壁部に沿って配置される第２の付加的側壁部パネルと、
を更に含む、実施態様５に記載のカートン。
（７）  前記ディスペンサードアが、前記第１の主壁部のディスペンサーパネル部分を前記第１の主壁部から脆弱線に沿って分離することによって形成された前壁部と、前記ディスペンサードアの前壁部の側縁部から延びる少なくとも１つの側壁部と、を有する、実施態様５に記載のカートン。
（８）  前記第１の主壁部が、左縁部と、前記左縁部とほぼ平行でかつ前記左縁部から離間する右縁部と、前記左縁部と前記右縁部との間に延びかつこれらとほぼ垂直な底縁部と、前記底縁部とほぼ平行に延びかつ前記底縁部から離間し、前記左縁部と前記右縁部との間にこれらとほぼ垂直に延びる頂縁部と、を有し、
前記第１の側壁部が前記第１の主壁部の前記左縁部から垂直に延び、かつ、前記第１の主壁部の前記左縁部に沿った第１の縁部と、前記第１の縁部と平行でかつ前記第１の縁部から離間した第２の縁部と、を有し、
前記第２の側壁部が前記第１の壁部の前記右側縁部から垂直に延び、かつ、前記右側縁部に沿った第１の縁部と、前記第１の縁部と平行でかつ前記第１の縁部から離間した第２の縁部と、を有し、
前記第２の主壁部が、前記第１の主壁部とほぼ平行でかつ前記第１の主壁部から離間し、前記第１の側壁部の前記第２の縁部と前記第２の側壁部の前記第２の縁部との間に延び、前記第２の主壁部が、前記第２の側壁部の前記第２の縁部に沿って延びる左縁部と、前記第１の側壁部の前記第２の縁部に沿って延びる右縁部と、前記第２の主壁部の前記左縁部と前記右縁部との間にこれらとほぼ垂直に延び、前記第１の主壁部の前記底縁部とほぼ平行でかつ前記底縁部から離間する底縁部と、前記第２の主壁部の前記底縁部及び前記第１の主壁部の前記頂縁部とほぼ平行に延びかつこれらから離間し、前記第２の主壁部の前記左縁部と前記右縁部との間にこれらとほぼ垂直に延びる頂縁部と、を有し、
前記第１の端壁部が、前記第１の主壁部の前記頂縁部から垂直に、かつ前記第１の側壁部と前記第２の側壁部との間にこれらとほぼ垂直に延び、
前記第２の端壁部が、前記第１の主壁部の前記底縁部から垂直に、かつ前記第１の側壁部と前記第２の側壁部との間にこれらとほぼ垂直に延び、
前記ディスペンサードアが、前記第１の主壁部内に画定された前側パネルと、底縁部と、前記第１の側壁部とほぼ平行な左側サイドパネルと、前記第２の側壁部とほぼ平行な右側サイドパネルと、を有し、
前記ディスペンサードアパネルを前記第１の主パネルから遠くに旋回させ、かつ前記ディスペンサードア左側サイドパネル及び前記ディスペンサードア右側サイドパネルを、それぞれ前記第１の側壁部及び前記第２の側壁部に沿って摺動させて前記カートン内の前記物品にアクセスするために、前記ディスペンサードア前側パネルを前記ディスペンサードア前側パネル底縁部を中心に旋回させることによって、前記ディスペンサードアが開き、
前記リッドディスペンサーが、前記第２の主壁部内に画定された上部パネルと、左縁部と、前記左縁部とほぼ平行でかつ前記左縁部から離間する右縁部と、前記左縁部と前記右縁部との間にこれらとほぼ垂直に延びる前側縁部と、前記前側縁部とほぼ平行に延び、かつ前記左縁部と前記右縁部との間にこれらとほぼ垂直に延びる後側縁部と、を有し、
前記上部パネルを前記第２の主壁部から離れて持ち上げて前記カートンの内部にアクセスするために、前記上部パネルを前記リッドディスペンサーの前記後側縁部に沿って旋回させることによって、前記リッドディスペンサーが開く、実施態様１に記載のカートン。
（９）  前記ディスペンサードア底縁部が、前記第１の主壁部の前記底縁部に沿って実質的に同一直線上に延び、
前記リッドディスペンサーの前記後側縁部が、前記第２の主壁部の前記右縁部とほぼ平行でかつ前記右縁部から離間する、実施態様８に記載のカートン。
（１０）  前記リッドディスペンサーが、
前記上部パネル前側縁部から、前記上部パネルとほぼ垂直でかつ前記第２の端壁部とほぼ平行に延びる前側パネルと、
前記前側パネルからほぼ垂直に、かつ前記第１の側壁部とほぼ平行でかつこれに沿って延びる左側サイドパネルと、
前記前側パネルからほぼ垂直に、かつ前記第２の側壁部とほぼ平行でかつこれに沿って延びる右側サイドパネルと、を更に含む、実施態様８に記載のカートン。
【００４５】
（１１）  長手方向軸を有する複数の細長い物品を収容するカートンであって、前記カートンは、
第１の主壁部と、
前記第１の主壁部と対向する第２の主壁部と、
前記第１の主壁部と前記第２の主壁部との間に延在する第１の側壁部と、
前記第１の側壁部と対向し、かつ前記第１の主壁部と前記第２の主壁部との間に延在する第２の側壁部と、
前記第１の主壁部と前記第２の主壁部との間、及び前記第１の側壁部と前記第２の側壁部との間に延在する第１の端壁部と、
前記第１の端壁部と対向し、かつ前記第１の主壁部と前記第２の主壁部との間、及び前記第１の側壁部と前記第２の側壁部との間に延在する第２の端壁部と、
前記第１の主壁部、前記第２の主壁部、前記第１の側壁部、前記第２の側壁部、前記第１の端壁部、及び前記第２の端壁部のうちの１つの中に形成される第１のディスペンサーと、
前記第１の主壁部、前記第２の主壁部、前記第１の側壁部、前記第２の側壁部、前記第１の端壁部、及び前記第２の端壁部のうちの別の１つの中に形成される第２のディスペンサーと、
を含み、
前記物品が全て、前記カートン内において、前記第１のディスペンサーに対してそれらの長手方向軸を水平配向にした状態で、及び前記第２のディスペンサーに対して前記それらの長手方向軸を縦配向にした状態で配向されるように配向される、カートン。
（１２）  前記第１のディスペンサーが、前記第１の主壁部と実質的に同一面内の前壁部を有し、かつディスペンサードアのヒンジを中心に旋回するように構成されたディスペンサードアであり、
前記物品が、前記物品の前記長手方向軸が前記ディスペンサードアのヒンジとほぼ平行に延びた状態で前記第１のディスペンサーから分配されるように配向される、実施態様１１に記載のカートン。
（１３）  少なくとも２つの物品が、前記ディスペンサードアのヒンジと実質的に同一直線上でかつこれとほぼ平行に配置される、実施態様１２に記載のカートン。
（１４）  前記第２のディスペンサーが、前記第２の主壁部と実質的に同一面内の上部パネルを有し、かつリッドディスペンサーのヒンジを中心に旋回するように構成されるリッドディスペンサーであり、
前記物品が、前記物品の前記長手方向軸が前記ディスペンサードアのヒンジとほぼ垂直に延びた状態で前記第２のディスペンサーから分配されるように配向される、実施態様１２に記載のカートン。
（１５）  前記ディスペンサードアのヒンジが、前記第１の主壁部及び前記第２の側壁部とほぼ平行であり、
前記リッドディスペンサーのヒンジが、前記第２の主壁部及び前記第１の端壁部とほぼ平行である、実施態様１４に記載のカートン。
【００４６】
（１６）  前記第２のディスペンサーが、前記第２の主壁部と実質的に同一面内の上部パネルを有し、かつリッドディスペンサーのヒンジを中心に旋回するように構成されるリッドディスペンサーであり、
前記物品が、前記物品の前記長手方向軸が前記第２のディスペンサードアのヒンジとほぼ垂直に延びた状態で前記第２のディスペンサーから分配されるように配向される、実施態様１１に記載のカートン。
（１７）  前記リッドディスペンサー上部パネルが、前側縁部と、前記前側縁部から前記リッドディスペンサーのヒンジに向かう方向の高さと、を有し、
前記物品が、それぞれ、その前記長手方向軸に沿った前記物品の第１の端部から第２の端部までの高さを有し、
前記第２の主壁部が、前記リッドディスペンサーの高さとほぼ平行な方向の高さを有し、前記第２の主壁部の高さが前記物品の高さの少なくとも２倍であり、
前記リッドディスペンサー上部パネルの高さが、前記物品の高さよりも長く、かつ前記第２の主壁部の前記高さよりも短く、
少なくとも２つの物品が、実質的に同一直線上でかつ前記リッドディスペンサーのヒンジとほぼ垂直に配置される、実施態様１６に記載のカートン。
（１８）  前記物品が、前記長手方向軸が前記第１の端壁部及び前記第２の端壁部とほぼ垂直な状態で、前記第１の端壁部及び前記第２の端壁部の一方を介して装填される、実施態様１１に記載のカートン。
（１９）  前記第１の主壁部が、左縁部と、前記左縁部とほぼ平行でかつ前記左縁部から離間する右縁部と、前記左縁部と前記右縁部との間にこれらとほぼ垂直に延びる底縁部と、前記底縁部とほぼ平行に延びかつ前記底縁部から離間し、前記左縁部と前記右縁部との間にこれらとほぼ垂直に延びる頂縁部と、を有し、
前記第１の側壁部が前記第１の主壁部の前記左縁部から垂直に延び、かつ、前記第１の主壁部の前記左縁部に沿った第１の縁部と、前記第１の縁部と平行でかつ前記第１の縁部から離間した第２の縁部と、を有し、
前記第２の側壁部が前記第１の壁部の前記右側縁部から垂直に延び、かつ、前記右側縁部に沿った第１の縁部と、前記第１の縁部と平行でかつ前記第１の縁部から離間した第２の縁部と、を有し、
前記第２の主壁部が、前記第１の主壁部とほぼ平行でかつ前記第１の主壁部から離間し、前記第１の側壁部の前記第２の縁部と前記第２の側壁部の前記第２の縁部との間に延び、前記第２の主壁部が、前記第２の側壁部の前記第２の縁部に沿って延びる左縁部と、前記第１の側壁部の前記第２の縁部に沿って延びる右縁部と、前記第２の主壁部の前記左縁部と前記右縁部との間にこれらとほぼ垂直に延び、前記第１の主壁部の前記底縁部とほぼ平行でかつ前記底縁部から離間する底縁部と、前記第２の主壁部の前記底縁部及び前記第１の主壁部の前記頂縁部とほぼ平行に延びかつこれらから離間し、前記第２の主壁部の前記左縁部と前記右縁部との間にこれらとほぼ垂直に延びる頂縁部と、を有し、
前記第１の端壁部が、前記第１の主壁部の前記頂縁部から垂直に、かつ前記第１の側壁部と前記第２の側壁部との間にこれらとほぼ垂直に延び、
前記第２の端壁部が、前記第１の主壁部の前記底縁部から垂直に、かつ前記第１の側壁部と前記第２の側壁部との間にこれらとほぼ垂直に延び、
前記第１のディスペンサーが、前記第１の主壁部内に画定された前側パネルと、底縁部と、前記第１の側壁部とほぼ平行な左側サイドパネルと、前記第２の側壁部とほぼ平行な右側サイドパネルとを有するディスペンサードアであり、
前記ディスペンサードアパネルを前記第１の主パネルから遠くに旋回させ、かつ前記ディスペンサードア左側サイドパネル及び前記ディスペンサードア右側サイドパネルを、それぞれ前記第１の側壁部及び前記第２の側壁部に沿って摺動させて前記カートン内の前記物品にアクセスするために、前記前側パネルを前記ディスペンサードア前側パネル底縁部を中心に旋回させることによって、前記第１のディスペンサーが開き、
前記第２のディスペンサーが、前記第２の主壁部内に画定された上部パネルと、左縁部と、前記左縁部とほぼ平行でかつ前記左縁部から離間する右縁部と、前記左縁部と前記右縁部との間にこれらとほぼ垂直に延びる前側縁部と、前記前側縁部とほぼ平行に延び、かつ前記左縁部と前記右縁部との間にこれらとほぼ垂直に延びる後側縁部と、を有するリッドディスペンサーであり、
前記上部パネルを前記第２の主壁部から離れて持ち上げて前記カートンの内部にアクセスするために、前記リッドディスペンサー上部パネルを前記リッドディスペンサーの前記後側縁部に沿って旋回させることによって、前記リッドディスペンサーが開く、実施態様１１に記載のカートン。
（２０）  カートンを形成し、かつ、それぞれが長手方向軸に沿って細長い複数の同一物品で前記カートンを充填する方法であって、前記方法が、
第１、第２、第３、第４、第５、及び第６の壁部を有し、かつディスペンサードアが前記第１、第２、第３、第４、第５、及び第６の壁部のうちの１つの中にあり、リッドディスペンサーが前記第１、第２、第３、第４、第５、及び第６の壁部のうちの別の１つの中にあるカートンを組み立てることと、
前記ディスペンサードアから分配されるときに実質的に水平に配向されるように前記物品の長手方向軸に沿って前記物品を押すことによって、前記カートンの内部に前記物品を装填することと、を含み、
ディスペンサードアのヒンジを中心に旋回することによって前記ディスペンサードアが開き、
物品を装填することが、前記物品の長手方向軸を前記ディスペンサードアのヒンジとほぼ平行にした状態で物品を装填することを更に含む、方法。
【００４７】
（２１）  前記リッドディスペンサーを介して分配するために、前記物品の長手方向軸が実質的に垂直に配向された状態で物品が配向されるように前記カートンを組み立てることを更に含み、
ディスペンサーの蓋のヒンジを中心に旋回することによって前記ディスペンサーの蓋が開き、
物品を装填することが、前記物品の長手方向軸を前記ディスペンサーの蓋のヒンジとほぼ垂直にした状態で物品を装填することを更に含む、実施態様２０に記載の方法。
（２２）  カートンブランクにおいて、
左縁部と、前記左縁部とほぼ平行で前記左縁部から離間する右縁部と、前記左縁部と前記右縁部との間にこれらとほぼ垂直に延びる頂縁部と、前記頂縁部とほぼ平行であり、かつ前記左縁部と前記右縁部との間にこれらとほぼ垂直に延びる底縁部と、を有する第１のパネルと、
前記第１のパネルの前記右縁部から延び、かつ前記第１のパネルの右縁部に沿った左縁部と、前記左縁部とほぼ平行でかつ前記左縁部から離間する右縁部と、前記左縁部と前記右縁部との間にこれらとほぼ垂直に延びる頂縁部と、前記頂縁部とほぼ平行であり、かつ前記左縁部と前記右縁部との間にこれらとほぼ垂直に延びる底縁部と、を有する第２のパネルと、
前記第２のパネルの前記右縁部から延び、かつ前記第２のパネルの右縁部に沿った左縁部と、前記左縁部とほぼ平行でかつ前記左縁部から離間する右縁部と、前記左縁部と前記右縁部との間にこれらとほぼ垂直に延びる頂縁部と、前記頂縁部とほぼ平行であり、かつ前記左縁部と前記右縁部との間にこれらとほぼ垂直に延びる底縁部と、を有する第３のパネルと、
前記第３のパネルの前記右縁部から延び、かつ前記第３のパネルの右縁部に沿った左縁部と、前記左縁部とほぼ平行でかつ前記左縁部から離間する右縁部と、前記左縁部と前記右縁部との間にこれらとほぼ垂直に延びる頂縁部と、前記頂縁部とほぼ平行であり、かつ前記左縁部と前記右縁部との間にこれらとほぼ垂直に延びる底縁部と、を有する第４のパネルと、
前記第１、第２、第３、及び第４のパネルのうちの１つの頂縁部から延び、前記第１、第２、第３、及び第４のパネルをそれらの前記左及び右縁部に沿って互いに対して折り畳む際に形成される端部が開いたカートンの上端部を閉じる第１の上端部パネルと、
前記第１、第２、第３、及び第４のパネルのうちの１つの底縁部から延び、前記第１、第２、第３、及び第４のパネルをそれらの前記左及び右縁部に沿って互いに対して折り畳む際に形成される端部が開いたカートンの下端部を閉じる第１の下端部パネルと、
前記第１、第２、第３、及び第４のパネルのうちの１つの中に画定されて、切断されるとディスペンサードア前側パネルの頂縁部を画定するディスペンサードアの切り目線と、
前記第１、第２、第３、及び第４のパネルの他の１つの中に画定されて、前記第１、第２、第３、及び第４のパネルの前記他の１つの一部によって画定される引き上げ式蓋の上部パネルの旋回ヒンジを画定する引き上げ式蓋の折り目と、を含む、カートンブランク。
（２３）  前記ディスペンサードアの切り目線が、前記ディスペンサードアの切り目線が中に画定される前記パネルの前記左縁部及び右縁部とほぼ平行である、実施態様２２に記載のブランク。
（２４）  前記引き上げ式の折り目が、前記引き上げ式蓋の折り目が中に画定される前記パネルの前記頂縁部及び底縁部とほぼ平行である、実施態様２３に記載のブランク。
（２５）  前記ディスペンサードアの切り目線が前記第１のパネルの中に画定され、前記引き上げ式蓋の折り目が前記第３のパネルの中に画定される、実施態様２４に記載のブランク。
【００４８】
（２６）  前記第２のパネルの中に画定され、第１の引き上げ式蓋の切り目線が切断されると、引き上げ式蓋の第１の側壁部の底縁部を画定する、前記第１の引き上げ式蓋の切り目線と、
前記第４のパネルの中に画定され、第２の引き上げ式蓋の切り目線が切断されると、引き上げ式蓋の第２の側壁部の底縁部を画定する、前記第２の引き上げ式蓋の切り目線と、を更に含む、実施態様２５に記載のブランク。
（２７）  前記第２のパネルの前記頂縁部から延びて、前記第２のパネルから形成される引き上げ式蓋の前側パネルを形成するパネルを更に含む、実施態様２６に記載のブランク。
（２８）  前記引き上げ式の折り目が、前記引き上げ式蓋の折り目が中に画定される前記パネルの前記頂縁部及び底縁部とほぼ平行である、実施態様２２に記載のブランク。
（２９）  前記ディスペンサードアの切り目線が前記第１のパネルの中に画定され、前記引き上げ式蓋の折り目が前記第３のパネルの中に画定される、実施態様２２に記載のブランク。
（３０）  前記第４のパネルの前記右縁部から延び、かつ前記第４のパネルの右縁部に沿った左縁部と、前記左縁部とほぼ平行でかつ前記左縁部から離間する右縁部と、前記左縁部と前記右縁部との間にこれらとほぼ垂直に延びる頂縁部と、前記頂縁部とほぼ平行であり、かつ前記左縁部と前記右縁部との間にこれらとほぼ垂直に延びる底縁部と、を有する第５のパネルを更に含み、
前記ディスペンサードアの切り目線が前記第１のパネルの中に画定され、
前記第５のパネルが、前記第１のパネルの一画と重なって前記ディスペンサードアを形成するように構成される、実施態様２２に記載のブランク。
【００４９】
（３１）  前記第５のパネルが、前記第５のパネルの前記頂縁部から延びる第１のディスペンサーパネルの側面部分と、前記第５のパネルの前記底縁部から延びる第２のディスペンサーパネルの側面部分とを更に含み、前記第１のディスペンサーパネルの側面部分及び前記第２のディスペンサーパネルの側面部分は、前記第５のパネル及び前記第１のパネルの一部によって形成されるディスペンサードアの側壁部を形成する、実施態様３０に記載のブランク。
【図１】
2013112424.tif 000003
【図２】
2013112424.tif 000004
【図３】
2013112424.tif 000005
【図４】
2013112424.tif 000006
【図５】
2013112424.tif 000007
【図６】
2013112424.tif 000008
【図７】
2013112424.tif 000009
【外国語明細書】
2013112424000001.pdf